(57)【要約】【課題】共役ジエン化合物とアルコール類とをテロメリ化反応させることにより、工業的に有利にエーテル類を製造する方法の提供。【解決手段】共役ジエン化合物とアルコール類とを、触媒としてパラジウム化合物、一般式（Ｉ）で示されるイソシアニド類および一般式（ＩＩ）で示される塩基を含有する組成物の存在下でテロメリ化反応させて、エーテル類を得ることを特徴とするエーテル類の製造方法。    【化１】2005095850.tif 000014（式中、各記号は明細書中で定義したとおりである。）【選択図】なし【特許請求の範囲】
【請求項１】
パラジウム化合物、一般式（Ｉ）
【化１】
2005095850.tif 000011
（式中、Ｒ１、Ｒ２およびＲ３は同一または異なっていてもよく、置換されていてもよいアルキル基、置換されていてもよいアルケニル基、置換されていてもよいアリール基または置換されていてもよいアラルキル基を表すか、それらのうちの２個はそれらが結合する炭素原子と一緒になってシクロアルキル基を形成してもよい。）
で示されるイソシアニド類および一般式（ＩＩ）
【化２】
2005095850.tif 000012
（式中、Ｍはアルカリ金属、アルカリ土類金属またはオニウムを表し、Ｒ４は水素原子、置換されていてもよいアルキル基、置換されていてもよいアルケニル基、置換されていてもよいアリール基または置換されていてもよいアラルキル基を表し、ｎはＭがアルカリ金属またはオニウムを表す場合は１を表し、Ｍがアルカリ土類金属を表す場合は２を表す。）
で示される塩基を含有する組成物。
【請求項２】
パラジウム化合物が２価のパラジウム塩である請求項１に記載の組成物。
【請求項３】
イソシアニド類がｔ−ブチルイソシアニド、１，１−ジメチルプロピルイソシアニドおよび１，１，３，３−テトラメチルブチルイソシアニドから選ばれるものである請求項１に記載の組成物。
【請求項４】
イソシアニド類の組成割合がパラジウム化合物に対して０．１〜５０当量の範囲である請求項１に記載の組成物。
【請求項５】
イソシアニド類の組成割合がパラジウム化合物に対して１〜２０当量の範囲である請求項４に記載の組成物。
【請求項６】
塩基が水酸化リチウム、リチウムメトキシド、水酸化ナトリウム、ナトリウムメトキシド、ナトリウムイソプロポキシド、ナトリウムｓ−ブトキシド、ナトリウムフェノキシド、ナトリウムベンジルオキシド、水酸化カリウム、カリウムメトキシド、カリウムエトキシド、カリウムイソプロポキシド、カリウムｓ−ブトキシド、カリウムｔ−ブトキシド、カリウムフェノキシド、カリウムベンジルオキシド、水酸化ルビジウム、水酸化セシウム、水酸化カルシウム、水酸化ストロンチウム、水酸化バリウム、テトラメチルアンモニウムヒドロキシド、テトラメチルアンモニウムメトキシド、テトラメチルアンモニウムフェノキシド、テトラメチルアンモニウムベンジルオキシド、テトラブチルアンモニウムヒドロキシド、ベンジルトリメチルアンモニウムヒドロキシド、トリメチルスルホニウムヒドロキシド、テトラフェニルホスホニウムヒドロキシドおよびトリメチルオキソニウムヒドロキシドから選ばれるものである請求項１に記載の組成物。
【請求項７】
塩基の組成割合がパラジウム化合物に対して０．１〜１０００００当量の範囲である請求項１に記載の組成物。
【請求項８】
塩基の組成割合がパラジウム化合物に対して１〜１００００当量の範囲である請求項７に記載の組成物。
【請求項９】
共役ジエン化合物とアルコール類とを、触媒として請求項１に記載の組成物の存在下でテロメリ化反応させて、エーテル類を得ることを特徴とするエーテル類の製造方法。
【請求項１０】
アルコール類が一般式（ＶＩＩ）
【化３】
2005095850.tif 000013
（式中、Ｒ１９は置換基を有していてもよいアルキル基、置換基を有していてもよいアルケニル基、置換基を有していてもよいアリール基または置換基を有していてもよいアラルキル基を表す。）
で示されるものである請求項９に記載の製造方法。
【請求項１１】
アルコール類がメタノール、エタノール、１−プロパノール、２−プロパノール、２−メチル−１−プロパノール、１−ブタノール、２−ブタノール、ペンタノール、イソアミルアルコール、シクロペンタノール、ヘキサノール、２−ヘキサノール、シクロヘキサノール、ヘプタノール、オクタノール、２−オクタノール、３−オクタノール、ベンジルアルコール、フェネチルアルコール、フェノール、エチレングリコール、ジエチレングリコール、プロピレングリコール、エチレングリコールモノメチルエーテル、エチレングリコールモノエチルエーテル、ジエチレングリコールモノメチルエーテル、ジエチレングリコールモノエチルエーテル、プロピレングリコールモノメチルエーテルおよびプロピレングリコールモノエチルエーテルから選ばれるものである請求項９に記載の製造方法。
【請求項１２】
アルコール類の使用量が共役ジエン化合物に対して０．１〜１０当量の範囲である請求項９に記載の製造方法。
【請求項１３】
アルコール類の使用量が共役ジエン化合物に対して０．５〜５当量の範囲である請求項１２に記載の製造方法。
【請求項１４】
パラジウム化合物が２価のパラジウム塩である請求項９に記載の製造方法。
【請求項１５】
パラジウム化合物の使用量が共役ジエン化合物に対して０．００００００１〜０．００００２当量の範囲である請求項９に記載の製造方法。
【請求項１６】
パラジウム化合物の使用量が共役ジエン化合物に対して０．０００００１〜０．００００２当量の範囲である請求項１５に記載の製造方法。
【請求項１７】
イソシアニド類の使用量がパラジウム化合物に対して０．１〜５０当量の範囲である請求項９に記載の製造方法。
【請求項１８】
イソシアニド類の使用量がパラジウム化合物に対して１〜２０当量の範囲である請求項１７に記載の製造方法。
【請求項１９】
塩基の使用量がパラジウム化合物に対して０．１〜１０００００当量の範囲である請求項９に記載の製造方法。
【請求項２０】
塩基の使用量がパラジウム化合物に対して１〜１００００当量の範囲である請求項１９に記載の製造方法。
【請求項２１】
テロメリ化反応の反応温度が０〜１５０℃の範囲である請求項９に記載の製造方法。
【請求項２２】
テロメリ化反応の反応温度が２０〜１１０℃の範囲である請求項２１に記載の製造方法。
【発明の詳細な説明】
【技術分野】
【０００１】
本発明は、共役ジエン化合物とアルコール類とをテロメリ化反応させてエーテル類を製造する方法および該方法に使用する触媒機能を有する組成物に関する。
本発明により製造されるエーテル類は、各種ポリマー原料、香料などの中間体として有用である。
【背景技術】
【０００２】
共役ジエン化合物のテロメリ化反応（テロメリゼーション）とは、共役ジエン化合物が求核性反応剤を取り込むことによりオリゴマー化する反応である。例えば、２分子のブタジエンが１分子の酢酸などの活性水素化合物と反応して１−アセトキシ−２，７−オクタジエンなどの生成物を生じる反応が挙げられる。
【０００３】
パラジウム錯体、特に、ホスフィンが配位したパラジウム錯体（以下、これをホスフィン配位パラジウム錯体と称する）が共役ジエン化合物のテロメリゼーション触媒として優れた活性を示すことが知られている［例えば、非特許文献１参照］。しかしながら、テロメリ化反応を工業的に行うに際し、触媒としてホスフィン配位パラジウム錯体を用いた場合には次のような問題がある。（１）ホスフィン配位パラジウム錯体は熱安定性が悪く、テロメリゼーション生成物と触媒成分とを蒸発分離させる場合、その工程で該錯体が分解してパラジウム金属が析出する。このため、触媒の再使用が難しく、しかも析出した金属は配管の閉塞などの問題をもたらす。（２）ホスフィン配位パラジウム錯体の熱安定性を保つには、反応液中にパラジウム１原子当り過剰量のホスフィンを存在させる必要があり、一方、過剰量のホスフィンの存在はホスフィン配位パラジウム錯体の安定性を高めることになるが、触媒としての活性を低下させることになる。さらに過剰量のホスフィンの酸化によるホスフィンオキシド生成に伴うホスフィンの濃度低下、触媒活性の低下などの問題がある。以上のような観点から、ホスフィンに替わる配位子として、パラジウムなどの金属への配位能力を有し、かつテロメリ化反応活性を示す化合物が求められている。
【０００４】
非ホスフィン系の配位子であるイソシアニド類とニッケル化合物からなる触媒系の存在下に、炭素数４〜６の共役ジエン化合物とモノアルコールをテロメリ化させて不飽和エーテルを製造する方法が報告されている［例えば、特許文献１参照］。その実施例では、１，３−ブタジエンとメタノールのテロメリ化反応が、ビス（１，５−シクロオクタジエン）ニッケルとシクロヘキシルイソシアニドからなる触媒系［１，３−ブタジエンに対して０．００１〜０．０１当量のビス（１，５−シクロオクタジエン）ニッケルを使用］の存在下に行われており、１−メトキシ−２，７−オクタジエンと３−メトキシ−１，７−オクタジエンが９１対９の割合（重量比）で得られている。
【０００５】
共役ジエン化合物とアルコールのテロメリゼーションにおいて、ニッケル化合物とイソシアニド類からなる触媒系を用いる場合、アルコール付加生成物の末端位置選択率は高くとも９０％程度であり、実質的な１位置換エーテルの収率が低いのみならず、触媒活性が低いため触媒を多量に必要とし、工業的な具現性に欠ける。
【０００６】
また、非ホスフィン系の配位子として含窒素複素環式カルベンを用いたパラジウム系触媒によるテロメリ化反応が報告されている［例えば、特許文献２および非特許文献２参照］。含窒素複素環式カルベンは電子供与性が高く、金属と強固に結合する性質を有し、該含窒素複素環式カルベンが配位した金属の電子密度は顕著に上昇する。したがって、含窒素複素環式カルベンが配位してなるパラジウム錯体は熱安定性に優れ、酸化的付加反応などに優れた触媒活性を示す。かかるパラジウム錯体は、アリールクロリドを用いた溝呂木−ヘック（Ｈｅｃｋ）反応、鈴木−宮浦カップリング反応などのカップリング反応の触媒として用いられることが知られている［例えば、非特許文献３および非特許文献４参照］。該錯体を１，３−ブタジエンとメタノールのテロメリゼーションに触媒として使用した場合、ホスフィン配位パラジウム錯体に比べ、生産性（ＴＯＮ，ｔｕｒｎｏｖｅｒ  ｎｕｍｂｅｒ）、メタノール付加生成物の末端位置選択率およびテロメリ化選択率において優れることが報告されている［例えば、非特許文献５および非特許文献６参照］。
【０００７】
含窒素複素環式カルベンが配位したパラジウム錯体を用いたテロメリゼーションでは、先述のように含窒素複素環式カルベンの電子供与性により２分子の共役ジエン化合物の酸化的カップリング反応は速くなるが、その反面、還元的脱離反応が遅くなるため、反応効率を高めるには、含窒素複素環式カルベンが配位したパラジウム錯体に対して大過剰の塩基を加える必要がある。そのため、含窒素複素環式カルベンが配位したパラジウム錯体の安定性を維持することが難しいという問題がある。さらに、かかるテロメリゼーションを工業的に実施し、触媒の循環再使用時を想定した場合、触媒活性の低下のみならず、反応装置の腐食、塩基析出による配管の閉塞など重大な問題を引起こすことになる。また、配位子として使用する含窒素複素環式カルベンを別途合成するにあたり複数の工程を経るため高価とならざるを得ないため、配位子の価格が高いという問題点もある。
【０００８】
さらに、非ホスフィン系の配位子としてイソシアニドを用いたパラジウム系触媒によるテロメリ化反応が報告されている［例えば、特許文献３および特許文献４参照］。その実施例では、１，３−ブタジエンとトリメチロールプロパンのテロメリ化反応が、テトラキス（トリフェニルホスフィン）パラジウムとシクロヘキシルイソシアニドからなる触媒系の存在下に行われている。しかしながら、触媒となるテトラキス（トリフェニルホスフィン）パラジウムとブタジエンの使用比率、生成物の収量、反応時間などは記載されておらず、ただ主生成物としてオクタジエニルジヒドロキシメチルブタンが得られたと報告されているのみである。本発明者らは、イソシアニドを配位子とする際に、イソシアニドのα位の炭素上に水素が存在している場合、テロメリ化反応に使用される塩基によって該水素が引き抜かれ、イソシアニドが分解するため、配位子としての本来の働きを示さず、目的とするテロメリ化触媒配位子としての機能が著しく低下することを見出した（後述の比較例２参照）。さらに、この報告例では、イソシアニドを、既に配位子としてリンを有しているパラジウム触媒と併用している。本発明者らは、既に配位子としてリンを有しているパラジウムを使用すると、イソシアニドの配位が抑制されるため、反応が著しく遅くなるだけでなく、アルコールによる求核反応の位置選択性が低く（後述の比較例３参照）、よって、アルコールが付加する位置の末端選択性、即ち直鎖選択性が低くなるという問題点があることを見出した。また、リンが配位することによって、パラジウム上の電荷密度が十分に上がらないため、ブタジエン当たりの触媒の使用量を少なくすることができない、またはブタジエンの転化率が上がらないという問題点を有することも本発明者らは見出した。
【特許文献１】米国特許第３６７００２９号明細書
【特許文献２】ドイツ公開特許第１０１２８１４４号公報
【特許文献３】特公昭４８−４３３２７号公報
【特許文献４】米国特許第３６７００３２号明細書
【非特許文献１】辻二郎著「パラジウム  リエージェンツ  アンド  キャタリスツ（Ｐａｌｌａｄｉｕｍ  Ｒｅａｇｅｎｔｓ  ａｎｄ  Ｃａｔａｌｙｓｔｓ）」、ジョン  ウィレー  アンド  サンズ（Ｊｏｈｎ  Ｗｉｌｅｙ  ＆  Ｓｏｎｓ）出版、第４２３〜４４１頁（１９９５年）
【非特許文献２】アンゲバンテ  ケミー  インターナショナル  エディション（Ａｎｇｅｗ．Ｃｈｅｍ．Ｉｎｔ．Ｅｄ．）、第４１巻、第１２９０〜１３０９頁（２００２年）
【非特許文献３】プラチナ  メタルズ  レビュー（Ｐｌａｔｉｎｕｍ  Ｍｅｔａｌｓ  Ｒｅｖ．）、第４６巻、第５０〜６４頁（２００２年）
【非特許文献４】アドバンシーズ  イン  オルガノメタリック  ケミストリー（Ａｄｖａｎｃｅｓ  ｉｎ  Ｏｒｇａｎｏｍｅｔａｌｌｉｃ  Ｃｈｅｍｉｓｔｒｙ）、第４８巻、第４２〜４７頁（２００２年）
【非特許文献５】アンゲバンテ  ケミー  インターナショナル  エディション（Ａｎｇｅｗ．Ｃｈｅｍ．Ｉｎｔ．Ｅｄ．）、第４１巻、第９８６〜９８９頁（２００２年）
【非特許文献６】ジャーナル  オブ  モレキュラー  キャタリシス  Ａ：ケミカル（Ｊｏｕｒｎａｌ  ｏｆ  Ｍｏｌｅｃｕｌａｒ  Ｃａｔａｌｙｓｉｓ  Ａ：Ｃｈｅｍｉｃａｌ）、第１８５巻、第１０５〜１１２頁（２００２年）
【発明の開示】
【発明が解決しようとする課題】
【０００９】
本発明の目的は、共役ジエン化合物とアルコール類とのテロメリ化反応に使用される、高い触媒活性を発現し、かつ高い末端位置選択性（直鎖選択性）をもってアルコール付加生成物を与える組成物を安価に提供することにある。
【００１０】
本発明の他の目的は、共役ジエン化合物とアルコール類とを上記の組成物を用いてテロメリ化反応させることにより工業的に有利にエーテル類を製造する方法を提供することにある。
【課題を解決するための手段】
【００１１】
本発明は、パラジウム化合物、一般式（Ｉ）
【００１２】
【化１】
2005095850.tif 000002
【００１３】
（式中、Ｒ１、Ｒ２およびＲ３は同一または異なっていてもよく、置換されていてもよいアルキル基、置換されていてもよいアルケニル基、置換されていてもよいアリール基または置換されていてもよいアラルキル基を表すか、それらのうちの２個はそれらが結合する炭素原子と一緒になってシクロアルキル基を形成していてもよい。）
で示されるイソシアニド類［以下、これをイソシアニド類（Ｉ）と称する］および一般式（ＩＩ）
【００１４】
【化２】
2005095850.tif 000003
【００１５】
（式中、Ｍはアルカリ金属、アルカリ土類金属またはオニウムを表し、Ｒ４は水素原子、置換されていてもよいアルキル基、置換されていてもよいアルケニル基、置換されていてもよいアリール基または置換されていてもよいアラルキル基を表し、ｎはＭがアルカリ金属またはオニウムを表す場合は１を表し、Ｍがアルカリ土類金属を表す場合は２を表す。）
で示される塩基［以下、これを塩基（ＩＩ）と称する］を含有する組成物に関する。
【００１６】
本発明はまた、共役ジエン化合物とアルコール類とを、触媒として上記の組成物の存在下でテロメリ化反応させて、エーテル類を得ることを特徴とするエーテル類の製造方法に関する。
【発明の効果】
【００１７】
本発明の組成物は、安価に提供され、かつ共役ジエン化合物とアルコール類とのテロメリ化反応において高い触媒活性を発現し、かつ高い直鎖選択性をもってアルコール付加生成物を与える。
【００１８】
本発明の方法により、共役ジエン化合物とアルコール類から工業的に有利にエーテル類を製造することができる。また、本発明の方法によれば、アルコール類が末端に付加した直鎖状エーテル類を工業的に有利に製造することができる。
【発明を実施するための最良の形態】
【００１９】
パラジウム化合物としては、リン化合物のような強力な配位能力を有していないパラジウム化合物であれば特に制限されるものではなく、例えば、ギ酸パラジウム、酢酸パラジウム、塩化パラジウム、臭化パラジウム、炭酸パラジウム、硫酸パラジウム、硝酸パラジウム、パラジウムアセチルアセトナート、ビス（ベンゾニトリル）パラジウムジクロリド、ビス（ｔ−ブチルイソシアニド）パラジウムジクロリド、テトラクロロパラジウム酸ナトリウム、テトラクロロパラジウム酸カリウムなどの２価のパラジウム塩、ビス（ジベンジリデンアセトン）パラジウム、トリス（ジベンジリデンアセトン）二パラジウム、ビス（１，５−シクロオクタジエン）パラジウムなどが挙げられる。イソシアニド類（Ｉ）と組み合わせて使用するパラジウム化合物としては、耐酸化安定性、工業的入手性から０価のパラジウム化合物よりも２価のパラジウム化合物が好ましく、触媒活性、アルコール類が付加する位置の末端選択率（直鎖選択率）およびテロメリ化選択率が優れている点で、２価のパラジウム塩が特に好ましい。
【００２０】
イソシアニド類（Ｉ）は、イソニトリルまたはカルビルアミンとも称され、対応するアミンから容易にかつ安価に製造される。
【００２１】
イソシアニド類（Ｉ）を表す一般式（Ｉ）において、Ｒ１、Ｒ２およびＲ３が表すアルキル基としては、直鎖、分枝鎖または環状アルキル基であってよく、炭素数１〜８のアルキル基が好ましく、例えばメチル基、エチル基、プロピル基、イソプロピル基、ブチル基、イソブチル基、ｓ−ブチル基、ｔ−ブチル基、ペンチル基、１，１−ジメチルプロピル基、ヘキシル基、ヘプチル基、オクチル基、１，１，３，３−テトラメチルブチル基、シクロペンチル基、シクロヘキシル基、シクロヘプチル基、シクロオクチル基などが挙げられ、アルケニル基としては、直鎖、分枝鎖または環状アルケニル基であってよく、炭素数２〜８のアルケニル基が好ましく、例えばビニル基、アリル基、クロチル基、プレニル基、５−ヘキセニル基、６−ヘプテニル基、７−オクテニル基、シクロヘキセニル基、シクロオクテニル基などが挙げられる。これらのアルキル基およびアルケニル基は炭素原子上に水素原子以外の原子または官能基を有していてもよい。水素原子以外の原子としては、例えば、フッ素原子、塩素原子、臭素原子、ヨウ素原子などのハロゲン原子などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基（オキソ基）；カルボキシル基などが挙げられる。
【００２２】
Ｒ１、Ｒ２およびＲ３が表すアリール基としては、炭素数６〜２０のアリール基が好ましく、例えばフェニル基、ナフチル基、インデニル基、フェナントリル基、アントラセニル基、テトラセニル基などが挙げられ、アラルキル基としては、炭素数７〜２０のアラルキル基が好ましく、例えばベンジル基、ナフチルメチル基、インデニルメチル基、ビフェニリルメチル基などが挙げられる。これらのアリール基およびアラルキル基は炭素原子上に水素原子以外の原子または置換基もしくは官能基を有していてもよい。水素原子以外の原子としては、例えばフッ素原子、塩素原子、臭素原子、ヨウ素原子などのハロゲン原子などが挙げられる。環上の置換基としては、例えば、メチル基、エチル基、プロピル基、イソプロピル基、ブチル基、イソブチル基、ｓ−ブチル基、ｔ−ブチル基、ペンチル基、ヘキシル基、ヘプチル基、オクチル基、シクロペンチル基、シクロヘキシル基、シクロヘプチル基、シクロオクチル基などの炭素数１〜８のアルキル基；ビニル基、アリル基、クロチル基、プレニル基、５−ヘキセニル基、６−ヘプテニル基、７−オクテニル基、シクロヘキセニル基、シクロオクテニル基などの炭素数２〜８のアルケニル基；フェニル基、トリル基、キシリル基、クメニル基、メシチル基、２，６−ジイソプロピルフェニル基、ナフチル基、インデニル基、ビフェニリル基、ビフェニレニル基、フェナントリル基、アントラセニル基、テトラセニル基などの炭素数６〜２０のアリール基；ベンジル基、ナフチルメチル基、インデニルメチル基、ビフェニリルメチル基などの炭素数７〜２０のアラルキル基などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基；カルボキシル基などが挙げられる。
【００２３】
Ｒ１、Ｒ２およびＲ３のうちの２個がそれらが結合する炭素原子と一緒になって形成するシクロアルキル基としては、例えばシクロプロピル基、シクロブチル基、シクロペンチル基、シクロヘキシル基、シクロヘプチル基、シクロオクチル基などが挙げられる。
【００２４】
イソシアニド類（Ｉ）の代表例として、例えばｔ−ブチルイソシアニド、１，１−ジメチルプロピルイソシアニド、１−メチルシクロヘキシルイソシアニド、１，１，３，３−テトラメチルブチルイソシアニド、１，１−ジメチルベンジルイソシアニドなどが挙げられる。イソシアニド類（Ｉ）としては、Ｒ１Ｒ２Ｒ３Ｃ−で表される基が炭素数４〜８の第３級アルキル基であるイソシアニドが好ましく、ｔ−ブチルイソシアニド、１，１−ジメチルプロピルイソシアニド、１，１，３，３−テトラメチルブチルイソシアニドがより好ましい。
【００２５】
塩基（ＩＩ）を表す一般式（ＩＩ）において、Ｍが表すアルカリ金属としては、例えばリチウム、ナトリウム、カリウム、ルビジウム、セシウムなどが挙げられ、アルカリ土類金属としては、例えばマグネシウム、カルシウム、ストロンチウム、バリウムなどが挙げられる。Ｍが表すオニウムとしては、例えばアンモニウム、スルホニウム、ホスホニウム、オキソニウムなどが挙げられる。
【００２６】
上記のアンモニウムとしては、下記の一般式（ＩＩＩ）
【００２７】
【化３】
2005095850.tif 000004
【００２８】
（式中、Ｒ５、Ｒ６、Ｒ７およびＲ８はそれぞれ水素原子、置換されていてもよいアルキル基、置換されていてもよいアルケニル基、置換されていてもよいアリール基または置換されていてもよいアラルキル基を表す。）
で示されるアンモニウムが好ましい。
【００２９】
上記のスルホニウムとしては、下記の一般式（ＩＶ）
【００３０】
【化４】
2005095850.tif 000005
【００３１】
（式中、Ｒ９、Ｒ１０およびＲ１１はそれぞれ水素原子、置換されていてもよいアルキル基、置換されていてもよいアルケニル基、置換されていてもよいアリール基または置換されていてもよいアラルキル基を表す。）
で示されるスルホニウムが好ましい。
【００３２】
上記のホスホニウムとしては、下記の一般式（Ｖ）
【００３３】
【化５】
2005095850.tif 000006
【００３４】
（式中、Ｒ１２、Ｒ１３、Ｒ１４およびＲ１５はそれぞれ水素原子、置換されていてもよいアルキル基、置換されていてもよいアルケニル基、置換されていてもよいアリール基または置換されていてもよいアラルキル基を表す。）
で示されるホスホニウムが好ましい。
【００３５】
上記のオキソニウムとしては、下記の一般式（ＶＩ）
【００３６】
【化６】
2005095850.tif 000007
【００３７】
（式中、Ｒ１６、Ｒ１７およびＲ１８はそれぞれ水素原子、置換されていてもよいアルキル基、置換されていてもよいアルケニル基、置換されていてもよいアリール基または置換されていてもよいアラルキル基を表す。）
で示されるオキソニウムが好ましい。
【００３８】
上記の一般式中、Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７およびＲ１８が表すアルキル基としては、直鎖、分枝鎖または環状アルキル基であってよく、炭素数１〜８のアルキル基が好ましく、例えばメチル基、エチル基、プロピル基、イソプロピル基、ブチル基、イソブチル基、ｓ−ブチル基、ｔ−ブチル基、ペンチル基、ヘキシル基、ヘプチル基、オクチル基、シクロペンチル基、シクロヘキシル基、シクロヘプチル基、シクロオクチル基などが挙げられ、アルケニル基としては、直鎖、分枝鎖または環状アルケニル基であってよく、炭素数２〜８のアルケニル基が好ましく、例えばビニル基、アリル基、クロチル基、プレニル基、５−ヘキセニル基、６−ヘプテニル基、７−オクテニル基、シクロヘキセニル基、シクロオクテニル基などが挙げられる。これらのアルキル基およびアルケニル基は炭素原子上に水素原子以外の原子または官能基を有していてもよい。水素原子以外の原子としては、例えば、フッ素原子、塩素原子、臭素原子、ヨウ素原子などのハロゲン原子などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基；カルボキシル基などが挙げられる。
【００３９】
Ｒ５、Ｒ６、Ｒ７、Ｒ８、Ｒ９、Ｒ１０、Ｒ１１、Ｒ１２、Ｒ１３、Ｒ１４、Ｒ１５、Ｒ１６、Ｒ１７およびＲ１８が表すアリール基としては、炭素数６〜２０のアリール基が好ましく、例えばフェニル基、ナフチル基、インデニル基、フェナントリル基、アントラセニル基、テトラセニル基などが挙げられ、アラルキル基としては、炭素数７〜２０のアラルキル基が好ましく、例えばベンジル基、ナフチルメチル基、インデニルメチル基、ビフェニリルメチル基などが挙げられる。これらのアリール基およびアラルキル基は炭素原子上に水素原子以外の原子または置換基もしくは官能基を有していてもよい。水素原子以外の原子としては、例えばフッ素原子、塩素原子、臭素原子、ヨウ素原子などのハロゲン原子などが挙げられる。環上の置換基としては、例えば、メチル基、エチル基、プロピル基、イソプロピル基、ブチル基、イソブチル基、ｓ−ブチル基、ｔ−ブチル基、ペンチル基、ヘキシル基、ヘプチル基、オクチル基、シクロペンチル基、シクロヘキシル基、シクロヘプチル基、シクロオクチル基などの炭素数１〜８のアルキル基；ビニル基、アリル基、クロチル基、プレニル基、５−ヘキセニル基、６−ヘプテニル基、７−オクテニル基、シクロヘキセニル基、シクロオクテニル基などの炭素数２〜８のアルケニル基；フェニル基、トリル基、キシリル基、クメニル基、メシチル基、２，６−ジイソプロピルフェニル基、ナフチル基、インデニル基、ビフェニリル基、ビフェニレニル基、フェナントリル基、アントラセニル基、テトラセニル基などの炭素数６〜２０のアリール基；ベンジル基、ナフチルメチル基、インデニルメチル基、ビフェニリルメチル基などの炭素数７〜２０のアラルキル基などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基；カルボキシル基などが挙げられる。
【００４０】
アンモニウムの代表例としては、テトラメチルアンモニウム、テトラエチルアンモニウム、テトラ−ｎ−プロピルアンモニウム、トリイソプロピルアンモニウム、テトラ−ｎ−ブチルアンモニウム、ベンジルトリメチルアンモニウムなどが挙げられる。
【００４１】
スルホニウムの代表例としては、トリメチルスルホニウム、トリエチルスルホニウム、トリ−ｎ−プロピルスルホニウム、トリイソプロピルスルホニウムなどが挙げられる。
【００４２】
ホスホニウムの代表例としては、テトラメチルホスホニウム、テトラエチルホスホニウム、テトラ−ｎ−プロピルホスホニウム、トリイソプロピルホスホニウムイオン、テトラ−ｎ−ブチルホスホニウム、ベンジルトリメチルホスホニウムイオン、テトラフェニルホスホニウムなどが挙げられる。
【００４３】
オキソニウムの代表例としては、トリメチルオキソニウム、トリエチルオキソニウム、トリ−ｎ−プロピルオキソニウム、トリイソプロピルオキソニウムなどが挙げられる。
【００４４】
塩基（ＩＩ）を表す一般式（ＩＩ）において、Ｒ4が表すアルキル基としては、直鎖、分枝鎖または環状アルキル基であってよく、炭素数１〜８のアルキル基が好ましく、例えばメチル基、エチル基、プロピル基、イソプロピル基、ブチル基、イソブチル基、ｓ−ブチル基、ｔ−ブチル基、ペンチル基、ヘキシル基、ヘプチル基、オクチル基、シクロペンチル基、シクロヘキシル基、シクロヘプチル基、シクロオクチル基などが挙げられ、アルケニル基としては、炭素数２〜８のアルケニル基が好ましく、直鎖、分枝鎖または環状アルケニル基であってよく、例えばビニル基、アリル基、クロチル基、プレニル基、５−ヘキセニル基、６−ヘプテニル基、７−オクテニル基、シクロヘキセニル基、シクロオクテニル基などが挙げられる。これらのアルキル基およびアルケニル基は炭素原子上に水素原子以外の原子または官能基を有していてもよい。水素原子以外の原子としては、例えば、フッ素原子、塩素原子、臭素原子、ヨウ素原子などのハロゲン原子などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基；カルボキシル基などが挙げられる。
【００４５】
Ｒ４が表すアリール基としては、炭素数６〜２０のアリール基が好ましく、例えばフェニル基、ナフチル基、インデニル基、フェナントリル基、アントラセニル基、テトラセニル基などが挙げられ、アラルキル基としては、炭素数７〜２０のアラルキル基が好ましく、例えばベンジル基、ナフチルメチル基、インデニルメチル基、ビフェニリルメチル基などが挙げられる。これらのアリール基およびアラルキル基は炭素原子上に水素原子以外の原子または置換基もしくは官能基を有していてもよい。水素原子以外の原子としては、例えばフッ素原子、塩素原子、臭素原子、ヨウ素原子などのハロゲン原子などが挙げられる。環上の置換基としては、例えば、メチル基、エチル基、プロピル基、イソプロピル基、ブチル基、イソブチル基、ｓ−ブチル基、ｔ−ブチル基、ペンチル基、ヘキシル基、ヘプチル基、オクチル基、シクロペンチル基、シクロヘキシル基、シクロヘプチル基、シクロオクチル基などの炭素数１〜８のアルキル基；ビニル基、アリル基、クロチル基、プレニル基、５−ヘキセニル基、６−ヘプテニル基、７−オクテニル基、シクロヘキセニル基、シクロオクテニル基などの炭素数２〜８のアルケニル基；フェニル基、トリル基、キシリル基、クメニル基、メシチル基、２，６−ジイソプロピルフェニル基、ナフチル基、インデニル基、ビフェニリル基、ビフェニレニル基、フェナントリル基、アントラセニル基、テトラセニル基などの炭素数６〜２０のアリール基；ベンジル基、ナフチルメチル基、インデニルメチル基、ビフェニリルメチル基などの炭素数７〜２０のアラルキル基などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基；カルボキシル基などが挙げられる。
【００４６】
塩基（ＩＩ）としては、例えば、水酸化リチウム、リチウムメトキシド、水酸化ナトリウム、ナトリウムメトキシド、ナトリウムイソプロポキシド、ナトリウムｓ−ブトキシド、ナトリウムフェノキシド、ナトリウムベンジルオキシド、水酸化カリウム、カリウムメトキシド、カリウムエトキシド、カリウムイソプロポキシド、カリウムｓ−ブトキシド、カリウムｔ−ブトキシド、カリウムフェノキシド、カリウムベンジルオキシド、水酸化ルビジウム、水酸化セシウム、水酸化カルシウム、水酸化ストロンチウム、水酸化バリウム、テトラメチルアンモニウムヒドロキシド、テトラメチルアンモニウムメトキシド、テトラメチルアンモニウムフェノキシド、テトラメチルアンモニウムベンジルオキシド、テトラブチルアンモニウムヒドロキシド、ベンジルトリメチルアンモニウムヒドロキシド、トリメチルスルホニウムヒドロキシド、テトラフェニルホスホニウムヒドロキシド、トリメチルオキソニウムヒドロキシドなどが挙げられる。
【００４７】
本発明の組成物は、上記のとおり、パラジウム化合物、イソシアニド類（Ｉ）および塩基（ＩＩ）を含有し、テロメリ化反応系において優れた触媒活性を発現する。イソシアニド類（Ｉ）の組成割合は、パラジウム化合物に対して０．１〜５０当量の範囲であるのが好ましく、１〜２０当量の範囲であるのがより好ましい。イソシアニド類（Ｉ）の組成割合がパラジウム化合物に対して５０当量を越える場合には、パラジウム化合物への共役ジエン化合物の配位がイソシアニド類（Ｉ）によって阻害されるため、テロメリ化の反応速度が低くなる。塩基（ＩＩ）の組成割合は、パラジウム化合物に対して０．１〜１０００００当量の範囲であるのが好ましく、１〜１００００当量の範囲であるのがより好ましい。
【００４８】
本発明においてテロメリ化反応に供される共役ジエン化合物としては、例えば１，３−ブタジエンおよびその２−および／または３−置換誘導体またはそれらの混合物が挙げられる。２位または３位の置換基としては、アルキル基またはハロゲン原子が挙げられる。アルキル基としては、直鎖、分枝鎖または環状アルキル基であってよく、メチル基、エチル基、プロピル基、イソプロピル基、ブチル基、イソブチル基、ｓ−ブチル基、ｔ−ブチル基、オクチル基、ドデシル基、オクタデシル基、シクロペンチル基、シクロヘキシル基、シクロオクチル基、シクロドデシル基などの炭素数１〜２０のアルキル基が好ましく、特にメチル基が好ましい。ハロゲン原子としては、塩素原子が好ましい。
【００４９】
共役ジエン化合物の代表例としては、１，３−ブタジエン、イソプレン、ピペリレン、２，３−ジメチル−１，３−ブタジエン、１，３，７−オクタトリエン、１，３−シクロヘキサジエン、１，３−シクロオクタジエンなどが挙げられる。共役ジエン化合物としては、炭素数４〜６の非環式ジエン化合物が好ましく、１，３−ブタジエンがより好ましい。
【００５０】
本発明において使用されるアルコール類は、下記の一般式（ＶＩＩ）
【００５１】
【化７】
2005095850.tif 000008
【００５２】
（式中、Ｒ１9は置換されていてもよいアルキル基、置換されていてもよいアルケニル基、置換されていてもよいアリール基または置換されていてもよいアラルキル基を表す。）
で示される。
【００５３】
上記一般式中、Ｒ１9が表すアルキル基としては、直鎖、分枝鎖または環状アルキル基であってよく、炭素数１〜８のアルキル基が好ましく、例えばメチル基、エチル基、プロピル基、イソプロピル基、ブチル基、イソブチル基、ｓ−ブチル基、ｔ−ブチル基、ペンチル基、ヘキシル基、ヘプチル基、オクチル基、シクロペンチル基、シクロヘキシル基、シクロヘプチル基、シクロオクチル基などが挙げられ、アルケニル基としては、直鎖、分枝鎖または環状アルケニル基であってよく、炭素数２〜８のアルケニル基が好ましく、例えばビニル基、アリル基、クロチル基、プレニル基、５−ヘキセニル基、６−ヘプテニル基、７−オクテニル基、シクロヘキセニル基、シクロオクテニル基などが挙げられる。これらのアルキル基およびアルケニル基は炭素原子上に水素原子以外の原子または官能基を有していてもよい。水素原子以外の原子としては、例えば、フッ素原子、塩素原子、臭素原子、ヨウ素原子などのハロゲン原子などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基；カルボキシル基；ヒドロキシメトキシ基、２−ヒドロキシエトキシ基などのヒドロキシアルコキシル基（好ましくは炭素数１〜８のヒドロキシアルコキシル基）；２−メトキシエトキシ基、２−エトキシエトキシ基などのアルコキシアルコキシル基（好ましくはＣ１−８アルコキシＣ１−８アルコキシル基）などが挙げられる。
【００５４】
Ｒ１９が表すアリール基としては、炭素数６〜２０のアリール基が好ましく、例えばフェニル基、ナフチル基、インデニル基、フェナントリル基、アントラセニル基、テトラセニル基などが挙げられ、アラルキル基としては、炭素数７〜２０のアラルキル基が好ましく、例えばベンジル基、ナフチルメチル基、インデニルメチル基、ビフェニリルメチル基などが挙げられる。これらのアリール基およびアラルキル基は炭素原子上に水素原子以外の原子または置換基もしくは官能基を有していてもよい。水素原子以外の原子としては、例えばフッ素原子、塩素原子、臭素原子、ヨウ素原子などのハロゲン原子などが挙げられる。環上の置換基としては、例えば、メチル基、エチル基、プロピル基、イソプロピル基、ブチル基、イソブチル基、ｓ−ブチル基、ｔ−ブチル基、ペンチル基、ヘキシル基、ヘプチル基、オクチル基、シクロペンチル基、シクロヘキシル基、シクロヘプチル基、シクロオクチル基などの炭素数１〜８のアルキル基；ビニル基、アリル基、クロチル基、プレニル基、５−ヘキセニル基、６−ヘプテニル基、７−オクテニル基、シクロヘキセニル基、シクロオクテニル基などの炭素数２〜８のアルケニル基；フェニル基、トリル基、キシリル基、クメニル基、メシチル基、２，６−ジイソプロピルフェニル基、ナフチル基、インデニル基、ビフェニリル基、ビフェニレニル基、フェナントリル基、アントラセニル基、テトラセニル基などの炭素数６〜２０のアリール基；ベンジル基、ナフチルメチル基、インデニルメチル基、ビフェニリルメチル基などの炭素数７〜２０のアラルキル基などが挙げられる。官能基としては、例えば、メトキシ基、エトキシ基、イソプロポキシ基などのアルコキシル基（好ましくは炭素数１〜８のアルコキシル基）；アミノ基；シアノ基；ヒドロキシル基；ケト基；カルボキシル基などが挙げられる。
【００５５】
アルコール類の代表例としては、メタノール、エタノール、１−プロパノール、２−プロパノール、２−メチル−１−プロパノール、１−ブタノール、２−ブタノール、ペンタノール、イソアミルアルコール、シクロペンタノール、ヘキサノール、２−ヘキサノール、シクロヘキサノール、ヘプタノール、オクタノール、２−オクタノール、３−オクタノール、ベンジルアルコール、フェネチルアルコール、フェノール、エチレングリコール、ジエチレングリコール、プロピレングリコール、エチレングリコールモノメチルエーテル、エチレングリコールモノエチルエーテル、ジエチレングリコールモノメチルエーテル、ジエチレングリコールモノエチルエーテル、プロピレングリコールモノメチルエーテル、プロピレングリコールモノエチルエーテルなどが挙げられる。アルコール類としては、炭素数１〜８のアルキルアルコールが好ましく、炭素数１〜４のアルキルアルコールがより好ましい。
【００５６】
本発明におけるテロメリ化反応は、パラジウム化合物、イソシアニド類（Ｉ）および塩基（ＩＩ）を原料のアルコール類中で混合することにより触媒活性種を形成させた後、原料の共役ジエン化合物を加えて行う。
【００５７】
パラジウム化合物の使用量は、共役ジエン化合物に対して０．００００００１〜０．００００２当量の範囲であるのが好ましく、０．０００００１〜０．００００２当量の範囲であるのがより好ましい。パラジウム化合物の使用量が共役ジエン化合物に対して０．００００２当量を越える場合には、経済性を低下させるばかりか、パラジウム化合物の還元カップリングによる析出を併発し、回収等の操作を煩雑化させるため、工業的に好ましくない。
【００５８】
イソシアニド類（Ｉ）の使用量は、パラジウム化合物に対して０．１〜５０当量の範囲であるのが好ましく、１〜２０当量の範囲であるのがより好ましい。塩基（ＩＩ）の使用量は、パラジウム化合物に対して０．１〜１０００００当量の範囲であるのが好ましく、１〜１００００当量の範囲であるのがより好ましい。アルコール類の使用量は、共役ジエン化合物に対して０．１〜１０当量の範囲であるのが好ましく、０．５〜５当量の範囲であるのがより好ましい。
【００５９】
本発明におけるテロメリ化反応系には、反応を阻害しない限りにおいて、溶媒を存在させることができる。溶媒としては、例えば、ブタン、イソブタン、ブテン、イソブテン、ペンタン、ヘキサン、シクロヘキサン、ベンゼン、トルエン、キシレンなどの炭化水素類；ジクロロメタン、１，２−ジクロロエタン、クロロホルムなどのハロゲン化炭化水素類；ジメチルスルホキシド、スルホランなどの含硫黄化合物類；テトラヒドロフラン、ジペンチルエーテル、ジヘキシルエーテル、ジヘプチルエーテル、ジオクチルエーテル、ヘキシルペンチルエーテル、ジフェニルエーテル、ジ（ｐ−トリル）エーテル、ジ（ｍ−トリル）エーテル、ジ（ｏ−トリル）エーテル、ジ（２，３−ジメチルフェニル）エーテル、ジ（２，６−ジメチルフェニル）エーテル、ジ（２，４，６−トリメチルフェニル）エーテル、（２−クロロエチル）フェニルエーテル、（２−ブロモエチル）フェニルエーテル、１，２−ジメトキシベンゼン、１，２，３−トリメトキシベンゼン、３，４，５−トリメトキシトルエン、１−メトキシナフタレン、２−メトキシナフタレン、１，２−ジメトキシナフタレン、ジエチレングリコールジエチルエーテル、ジエチレングリコールジイソプロピルエーテル、ジエチレングリコールジｎ−ブチルエーテル、ジプロピレングリコールジメチルエーテル、ジプロピレングリコールジイソプロピルエーテル、ジプロピレングリコールジｎ−ブチルエーテル、トリエチレングリコールジメチルエーテル、トリエチレングリコールメチルビニルエーテル、テトラエチレングリコールジメチルエーテル、テトラエチレングリコールジエチルエーテル、ポリエチレングリコールジメチルエーテル（平均分子量４００）、ポリエチレングリコールジメチルエーテル（平均分子量２０００）、ポリエチレングリコールジエチルエーテル（平均分子量４００）、ポリエチレングリコールジビニルエーテル（平均分子量２４０）、１２−クラウン−４、１５−クラウン−５、１８−クラウン−６、ジシクロヘキシル−１８−クラウン−６などのエーテル化合物；ホルムアミド、アセトアミド、Ｎ−メチルホルムアミド、Ｎ−エチルホルムアミド、Ｎ，Ｎ−ジメチルホルムアミド、Ｎ，Ｎ−ジエチルホルムアミド、Ｎ−メチルアセトアミド、Ｎ−エチルアセトアミド、Ｎ，Ｎ−ジメチルアセトアミド、Ｎ，Ｎ−ジエチルアセトアミド、プロピオンアミド、Ｎ−（１−シクロヘキセニル）ホルムアミド、Ｎ−（２−ピリジル）ホルムアミド、Ｎ−（３−メチル−２−ピリジル）ホルムアミド、Ｎ−メチル−Ｎ−（２−ピリジル）ホルムアミド、Ｎ−（３−メトキシプロピル）ホルムアミド、ジフェニルホルムアミド、１−メチル−２−ピロリジノン、１−エチル−２−ピロリジノンなどのアミド類などが挙げられる。これらの溶媒は単独で、または２種以上を混合して用いてもよい。溶媒の使用量は特に制限はないが、共役ジエン化合物に対して０．００１〜１０００当量の範囲であるのが好ましい。
【００６０】
テロメリ化反応の反応温度は０〜１５０℃の範囲であるのが好ましく、２０〜１１０℃の範囲であるのがより好ましい。反応温度が低い場合には反応時間が長くなり、また高い場合には副生物が増える。反応圧力は特に制限はなく、常圧から加圧の範囲で実施可能であるが、通常、反応温度に応じて生じる圧力下で反応は行われる。
【００６１】
テロメリ化反応の反応時間に特に制限はなく、通常０．０１〜３０時間、好ましくは０．１〜２０時間である。
【００６２】
本発明はバッチ式または連続式のいずれでも行うことができる。連続式の場合には、ピストンフロー型反応器または完全混合槽型反応器のいずれでも行うことができ、またこれらを組み合わせて行うこともできる。
【００６３】
反応終了後、得られた反応混合物からのテロメリ化反応生成物の分離は通常の方法で行うことができる。例えば、溶媒や未反応原料を蒸留分離した後、必要に応じて、その残渣を蒸留、再結晶、再沈殿またはカラムクロマトグラフィーで精製することにより目的生成物を得る。これらの分離方法は単独で行っても組み合わせて行ってもよい。上記の精製操作に加えて、必要に応じて、触媒の分離操作を行う。触媒の分離方法としては、蒸発法、薄膜蒸発法、層分離法、抽出法、吸着法などが採用される。これらの方法は単独で行っても組み合わせて行ってもよい。
【００６４】
共役ジエン化合物として、例えば１，３−ブタジエンを使用する場合の本発明の製造方法によるテロメリ化反応の反応式を以下に示す。
【００６５】
【化８】
2005095850.tif 000009
【００６６】
上記テロメリ化反応において、１位置換エーテル（Ａ）に加えて、３位置換エーテル（Ｂ）が生成される。
【００６７】
本発明の製造方法によれば、末端にアルコール類が付加したエーテル生成物（Ａ）を高い位置選択性（直鎖選択性）をもって製造することができる。さらに、（１）テロメリ化反応の選択性が高く、１，３，７−オクタトリエン、４−ビニルシクロヘキセンなどのエーテル類以外の副生成物の生成量が少ない。（２）共役ジエン化合物の転化率が高く、目的化合物の収率が高い。（３）ＴＯＦ（ｔｕｒｎｏｖｅｒ  ｆｒｅｑｕｅｎｃｙ）が高く、触媒の単位量当たり、反応時間当たりの収率が高い、即ち触媒活性が高いという利点がある。
【実施例】
【００６８】
以下、本発明を実施例により具体的に説明するが、本発明は実施例により限定されるものではない。実施例および比較例において、ＴＯＦ、ブタジエン転化率、直鎖選択率、テロメリ化選択率は以下のように定義される。収率は％で表す。
【００６９】
ＴＯＦ＝［｛（１−メトキシ−２，７−オクタジエンの収率）＋（３−メトキシ−１，７−オクタジエンの収率）＋（１，３，７−オクタトリエンの収率）＋（４−ビニルシクロヘキセンの収率）｝／１００］×１００，０００（反応前の１，３−ブタジエンとパラジウム化合物のモル比）／２（時間）
ブタジエン転化率＝［｛（反応前の１，３−ブタジエンのモル数）−（反応後の１，３−ブタジエンのモル数）｝／（反応前の１，３−ブタジエンのモル数）］×１００
直鎖選択率＝［（１−メトキシ−２，７−オクタジエンの収率）／｛（１−メトキシ−２，７−オクタジエンの収率）＋（３−メトキシ−１，７−オクタジエンの収率）｝］×１００
テロメリ化選択率＝［｛（１−メトキシ−２，７−オクタジエンの収率）＋（３−メトキシ−１，７−オクタジエンの収率）｝／｛（１−メトキシ−２，７−オクタジエンの収率）＋（３−メトキシ−１，７−オクタジエンの収率）＋（１，３，７−オクタトリエンの収率）＋（４−ビニルシクロヘキセンの収率）｝］×１００
【００７０】
実施例１
内容積１００ｍＬのオートクレーブに、アルゴン雰囲気下、室温で、ビス（ジベンジリデンアセトン）パラジウム２．０ｍｇ（３．５マイクロモル）、メタノール３０ｍＬ（０．７４モル）、ｔ−ブチルイソシアニド１．２ｍｇ（１４マイクロモル）、カリウムメトキシド２４．５ｍｇ（０．３５ミリモル）および内標準の１，２，４−トリメチルベンゼン１．０ｇを順に加えた。１，３−ブタジエン３０ｍＬ（０．３５モル）をフィードした後、８０℃に昇温した。２時間後および３時間後、得られた反応液をガスクロマトグラフィー（株式会社島津製作所製、ＧＣ−１４Ｂ型）により分析した結果を表１に示した。
【００７１】
実施例２
実施例１において、ｔ−ブチルイソシアニドの代わりに１，１−ジメチルプロピルイソシアニド１．４ｍｇ（１４マイクロモル）を用いた以外は同様の反応および操作を行った。得られた反応液をガスクロマトグラフィー（前記のとおり）により分析した結果を表１に示した。
【００７２】
実施例３
実施例１において、ｔ−ブチルイソシアニドの代わりに１，１，３，３−テトラメチルブチルイソシアニド１．９ｍｇ（１４マイクロモル）を用いた以外は同様の反応および操作を行った。得られた反応液をガスクロマトグラフィー（前記のとおり）により分析した結果を表１に示した。
【００７３】
実施例４
実施例１において、ビス（ジベンジリデンアセトン）パラジウムの代わりに酢酸パラジウム０．７９ｍｇ（３．５マイクロモル）を用いた以外は同様の反応および操作を行った。得られた反応液をガスクロマトグラフィー（前記のとおり）により分析した結果を表１に示した。
【００７４】
実施例５
実施例１において、ビス（ジベンジリデンアセトン）パラジウムの代わりにパラジウムアセチルアセトネート１．０６ｍｇ（３．５マイクロモル）を用いた以外は同様の反応および操作を行った。得られた反応液をガスクロマトグラフィー（前記のとおり）により分析した結果を表１に示した。
【００７５】
実施例６
実施例１において、１，３−ブタジエン３０ｍＬ（０．３５モル）の代わりに１，３−ブタジエン６０ｍＬ（０．７０モル）を用いた以外は同様の反応および操作を行った。得られた反応液をガスクロマトグラフィー（前記のとおり）により分析した結果を表１に示した。
【００７６】
比較例１
内容積１００ｍＬのオートクレーブに、アルゴン雰囲気下、室温で、ニッケルアセチルアセトナート０．９ｍｇ（３．５マイクロモル）、メタノール３０ｍＬ（０．７４モル）、ｔ−ブチルイソシアニド１．２ｍｇ（１４マイクロモル）、カリウムメトキシド２４．５ｍｇ（０．３５ミリモル）および内標準の１，２，４−トリメチルベンゼン１．０ｇを順に加えた。１，３−ブタジエン３０ｍＬ（０．３５モル）をフィードした後、８０℃に昇温した。２時間後および３時間後、得られた反応液をガスクロマトグラフィー（前記のとおり）により分析した結果を表１に示した。
【００７７】
比較例２
実施例１において、ｔ−ブチルイソシアニドの代わりにシクロヘキシルイソシアニド１．５３ｍｇ（１４マイクロモル）を用いた以外は同様の反応および操作を行った。得られた反応液をガスクロマトグラフィー（前記のとおり）により分析した結果を表１に示した。
【００７８】
比較例３
実施例１において、ビス（ジベンジリデンアセトン）パラジウムの代わりにテトラキストリフェニルホスフィンパラジウム４．０４ｍｇ（３．５マイクロモル）を用いた以外は同様の反応および操作を行った。得られた反応液をガスクロマトグラフィー（前記のとおり）により分析した結果を表１に示した。
【００７９】
比較例４
実施例１において、ｔ−ブチルイソシアニド１．２ｍｇ（１４マイクロモル）の代わりにｔ−ブチルイソシアニド２４．０ｍｇ（２８０マイクロモル）を用いた以外は同様の反応および操作を行った。得られた反応液をガスクロマトグラフィー（前記のとおり）により分析した結果を表１に示した。
【００８０】
比較例５
実施例１において、ビス（ジベンジリデンアセトン）パラジウムの代わりにテトラキストリフェニルホスフィンパラジウム４．０４ｍｇ（３．５マイクロモル）を、ｔ−ブチルイソシアニドの代わりにシクロヘキシルイソシアニド１．５３ｍｇ（１４マイクロモル）を用いた以外は同様の反応および操作を行った。得られた反応液をガスクロマトグラフィー（前記のとおり）により分析した結果を表１に示した。
【００８１】
なお、ＴＯＦは、２時間後のガスクロマトグラフィー分析値に基づいて計算し、ブタジエン転化率、直鎖選択率およびテロメリ化選択率は、３時間後のガスクロマトグラフィー分析値に基づいて計算した。
【００８２】
【表１】
2005095850.tif 000010
【産業上の利用可能性】
【００８３】
本発明の組成物は、共役ジエン化合物とアルコール類とのテロメリ化反応における触媒として有用である。
本発明の方法は、共役ジエン化合物とアルコール類から工業的に有利にエーテル類を製造する際に採用される。